Podtech/llm-jp-corpus-v4-ja_patent huggingface dataset:
(57)【要約】      （修正有）【課題】視認性に優れ、注意喚起のできるロープやポール等の注意喚起部材を提供する。【解決手段】白地のロープか、または、白色のゴムあるいは軟質樹脂からなる長尺物に、蓄光塗料（Ａ）と蛍光塗料（Ｂ）を、所定幅づつ交互に塗布し、これら表面を耐水性保護剤（２）でコーティングした本体（１）を設け、該本体（１）を透明の軟質のパイプ（３ａ）に挿入して視認性を有するロープとすることを特徴とする注意喚起部材であり、また、白色のゴムあるいは軟質樹脂からなる長尺物に、蓄光塗料（Ａ）と蛍光塗料（Ｂ）を、所定幅づつ交互に塗布し、これら表面を耐水性保護剤（２）でコーティングした本体（１）を設け、該本体（１）を透明のパイプ（３ｂ）に挿入し、視認性を有するポールとすることを特徴とする注意喚起部材である。【選択図】図１
0003116211.tif 000002
【実用新案登録請求の範囲】
【請求項１】
白地のロープか、または、白色のゴムあるいは軟質樹脂からなる長尺物に、蓄光塗料（Ａ）と蛍光塗料（Ｂ）を、所定幅づつ交互に塗布し、これら表面を耐水性保護剤（２）でコーティングした本体（１）を設け、該本体（１）を透明の軟質のパイプ（３ａ）に挿入して視認性を有するロープとすることを特徴とする注意喚起部材。
【請求項２】
白色のゴムあるいは軟質樹脂からなる長尺物に、蓄光塗料（Ａ）と蛍光塗料（Ｂ）を、所定幅づつ交互に塗布し、これら表面を耐水性保護剤（２）でコーティングした本体（１）を設け、該本体（１）を透明のパイプ（３ｂ）に挿入し、視認性を有するポールとすることを特徴とする注意喚起部材。
【考案の詳細な説明】
【技術分野】
【０００１】
この考案は、注意喚起部材に関するものである。
【背景技術】
【０００２】
従来、駐車場や店舗の敷地・工事現場等での、車輛や人の侵入防止や境界標示・誘導標示などには、ロープやチェーンが使用されている。
【０００３】
しかしながら、これらのロープやチェーンは、視認性の面で問題があり、特に、夜間には不安がある。
【０００４】
また、工事箇所に張設してある軟質・透明な合成樹脂性のパイプの中に、電球を多数個設け、点滅させて注意を喚起するものは存在するが、その光源は、電気、電池、太陽電池等を用いるものであり、コスト高になるという欠点があった。例えば、特許文献１のように。
【特許文献１】実開平７−３５５１２号公報
【考案の開示】
【考案が解決しようとする課題】
【０００５】
そこで、この考案は、視認性に優れており、注意喚起のできるロープやポール等の注意喚起部材を開発・提供するものである。
【課題を解決するための手段】
【０００６】
この考案は、課題を解決するための手段として、蓄光塗料（Ａ）と蛍光塗料（Ｂ）を、所定幅づつ交互に塗布することにより、夜間や暗闇の光のない場所においても、蓄光塗料（Ａ）が昼間に吸収・蓄積した光を発光したり、蛍光塗料（Ｂ）が車輛のライトに反応して反射することもできる注意喚起部材である。
【考案の効果】
【０００７】
この考案によると、蓄光塗料（Ａ）と蛍光塗料（Ｂ）を、所定幅づつ交互に塗布することにより、夜間や暗闇の光のない場所においても、蓄光塗料（Ａ）が昼間に吸収・蓄積した光を発光することにより、視認することができる。
【０００８】
また、蛍光塗料（Ｂ）を使用することにより、昼間でも目立ち、また、夜間においては車のヘッドライトなどの光によく反応して光るものである。
【０００９】
さらに、蓄光塗料（Ａ）と蛍光塗料（Ｂ）を塗布した本体（１）は、透明の軟質又は硬質樹脂パイプの中に挿入してあるため、汚れる心配がなく、また、外側のパイプの汚れは簡単に拭き取ることができ、便利である。
【００１０】
尚、本体（１）の両端部にフック（４）やアイボルト（５）等の連結部材を設けることにより、複数本の本体（１）を順次、簡単に連結したり、取り外したりすることができるものである。
【考案を実施するための最良の形態】
【００１１】
そこで、この考案によると、白地のロープか、または、白色のゴムあるいは軟質樹脂からなる長尺物に、蓄光塗料と蛍光塗料を、所定幅づつ交互に塗布し、これら表面を耐水性保護剤でコーティングした本体を設け、該本体を透明の軟質のパイプに挿入して視認性を有するロープとしたり、該本体を透明のパイプに挿入し、視認性を有するポールとすることを特徴とする注意喚起部材とするものである。
【実施例】
【００１２】
この考案に関して一実施例を図面に基づいて説明すると、この考案の第１の実施例では、白地のロープか、または、白色のゴムあるいは軟質樹脂からなる長尺物に、蓄光塗料（Ａ）と蛍光塗料（Ｂ）を、所定幅づつ交互に塗布し、これら表面を耐水性保護剤（２）でコーティングした本体（１）を設け、該本体（１）を透明の軟質のパイプ（３ａ）に挿入して視認性を有するロープとすることを特徴とする注意喚起部材から構成されるものである。
【００１３】
尚、ロープの一端部には、鉤状フック（４）、他端部にはアイボルト状フック（５）をそれぞれ装着したり、場合よっては両端に鉤状フック（４）、あるいは両端にアイボルト状フック（５）を装着して、これらのロープ複数本を順次、連結できるよう構成してもよい。
【００１４】
次に、この考案の第２の実施例を図面に基づいて説明すると、白色のゴムあるいは軟質樹脂からなる長尺物に、蓄光塗料（Ａ）と蛍光塗料（Ｂ）を、所定幅づつ交互に塗布し、これら表面を耐水性保護剤（２）でコーティングした本体（１）を設け、該本体（１）を透明のパイプ（３ｂ）に挿入し、視認性を有するポールとすることを特徴とする注意喚起部材から構成される。
【００１５】
また、本体（１）を構成する部材である、白色のゴムあるいは軟質樹脂である場合には、透明のパイプ（３ｂ）に硬質のものを用いればポールとして、機能するし、白色のゴムあるいは硬質樹脂である場合には、パイプ（３ｂ）は軟質のものであってもよい。
【産業上の利用可能性】
【００１６】
これら注意喚起部材の製造技術を確立することにより、この技術に基づいて、製造・販売することにより、産業上の利用可能性を有する。
【図面の簡単な説明】
【００１７】
【図１】この考案の一実施例を示す正面図である。
【図２】この考案の一実施例を示す一部欠截正面図である。
【図３】この考案の他の実施例を示す正面図である。
【図４】この考案の他の実施例を示す一部欠截正面図である。
【符号の説明】
【００１８】
１  本体
２  耐水性保護剤
３ａ  透明で軟質のパイプ
３ｂ  透明で硬質のパイプ
４  鉤状フック
５  アイボルト状フック
Ａ  蓄光塗料
Ｂ  蛍光塗料
【図１】
0003116211.tif 000003
【図２】
0003116211.tif 000004
【図３】
0003116211.tif 000005
【図４】
0003116211.tif 000006
(57)【要約】      （修正有）【課題】１種類で、宛名の大きさや記載位置の異なる複数種類の内容物に対応できる窓付き封筒を提供する。【解決手段】表面にミシン目などによる断続的な切り込みによって、窓と成り得る複数の切り取り部を設け、且つ全ての窓と成り得る部分を囲むように内面からフィルムまたは透明紙などを貼り合わせたことを特徴とする窓付き封筒。【選択図】図１
0003116241.tif 000002
【実用新案登録請求の範囲】
【請求項１】
表面にミシン目などによる断続的な切り込みによって設けられた、窓と成り得る複数の切り取り部と、フィルム、透明紙などの透明材料を、その窓と成り得る部分を囲むように内面から貼り付けたことを特徴とする窓付き封筒。
【考案の詳細な説明】
【技術分野】
【０００１】
この考案は、内容物に記載された宛先を封筒の窓部分に表示させ、宛先とすることのできる窓付き封筒に関するものである。
【背景技術】
【０００２】
従来の窓付き封筒は、所定の位置に窓が形成され、その窓から内容物に記載された宛先となる部分が表示される。
【考案の開示】
【考案が解決しようとする課題】
【０００３】
しかしながら、宛先と成り得る記載の大きさや位置の異なる複数種類の内容物を送付する場合には、それぞれの宛先の位置に対応した、数種類の窓付き封筒を用意する必要があった。
【０００４】
また、内容物の２箇所以上に宛先と成り得る記載があり、用件によってどちらかの宛先を選択して送付する場合にも、それぞれの宛先の位置に対応した、数種類の窓付き封筒を用意する必要があった。
【０００５】
本考案は、以上のような従来の欠点に鑑み、１種類の封筒で、宛先と成り得る記載の大きさや位置の異なる複数種類の内容物に対応することや、２箇所以上に宛先と成り得る記載のある内容物のどちらかを選択して送付する場合にも対応できる、窓付き封筒を提供することを目的としている。
【課題を解決するための手段】
【０００６】
上記目的を達成するために、本考案は、表面にミシン目などによる断続的な切り込みによって、窓と成り得る複数の切り取り部を設け、且つ窓と成り得る部分を囲むように内面からフィルム、透明紙などの透明材料を貼り付けた構造によって、請求項１の窓付き封筒を構成している。  
【考案の効果】
【０００７】
上記のように構成された本考案の窓付き封筒によれば、表面に設けられた複数の切り取り部の中から、内容物の宛先とする記載の位置に対応した切り取り部を切り取ることで、内容物の宛先部分を封筒の外に表示することができるため、１種類の窓付き封筒で複数種類の内容物と対応することができる。
【考案を実施するための最良の形態】
【０００８】
以下、本考案の実施の形態を図に基づいて説明する。
【実施例１】
【０００９】
図１は、本考案窓付き封筒の実施例１の構造を示す展開図である。表面１に、ミシン目などによる断続的な切り込みによって、窓と成り得る複数の切り取り部２ａ〜２ｃを設け、その切り取り部分２ａ〜２ｃを囲むように、封筒の内側になる面から、透明材料３が接着部４によって貼り付けられている。
【００１０】
図２は、実施例１の内容物となる書類を示す平面図であり、図１の切り取り部２ａ〜２ｅは、それぞれ図２の内容物５ａ〜５ｂを折り位置６で折り畳んで、封筒に入れたときの、宛先部分７ａ〜７ｃと重なるように設けられている。
【００１１】
図３は、本考案窓付き封筒の実施例１を示す正面図であり、表面１にミシン目などによる断続的な切り込みによって、窓と成り得る複数の切り取り部２ａ〜２ｃが設けられている。
【００１２】
図４は、本考案窓付き封筒の実施例１の切り取り部２ｂを切り取った正面図である。差出人が、内容物５ａの宛先部分７ｂに記載された住所に、内容物５ａを送る場合には、内容物５ａの宛名部分７ｂが対応する、実施例１の窓付き封筒の切り取り部２ｂを切り取り、宛名部分７ｂを切り取った２ｂの開口部８から表示させる。  
【図面の簡単な説明】
【００１３】
【図１】実施例１の構造を示す展開図
【図２】実施例１の内容物を示す平面図
【図３】実施例１を示す平面図
【図４】実施例１の切り取り部２ｂを切り取り時の平面図
【符号の説明】
【００１４】
１  表面
２ａ  切り取り部
２ｂ  切り取り部
２ｃ  切り取り部
３  透明材料
４  接着部
５ａ  内容物
５ｂ  内容物
６  折り位置
７ａ  宛名部分
７ｂ  宛先部分
７ｃ  宛先部分
８  開口部
【図１】
0003116241.tif 000003
【図２】
0003116241.tif 000004
【図３】
0003116241.tif 000005
【図４】
0003116241.tif 000006
(57)【要約】      （修正有）【解決手段】５は金属箔のエンボス加工を施されて仏像を描かれた図像画６入りの台紙である。額縁１の正面側の窓へ硝子製またはアクリル樹脂製の透明板２を嵌め込み透明板２の背面へ中ぐりマット３を重ねる。遺影４を額縁１正面窓へ向けて中ぐりマット３の背面へ重ね合わせする。台紙５を図像画６を額縁１の背面の方向に向けて、遺影４の背面へ重ね合わせ額縁１中へ収容する。次いで、図像画入り台紙５を遺影４へ背中合わせしたのち、図像画入り台紙５の正面へ硝子製またはアクリル製の透明板２を重ねて額縁１の窓へ全て順次積み重ね合わせ収容する。【効果】遺影額を背面から眺めても額の背面に収容してなる台紙に描かれた仏像の図像が鮮明に視覚を通して眺めることができ、遺影額としは最高、完璧のものである。且又、遺影額中に遺影を挟んで合計４枚の板材が収容構成されているゆえ、遺影額の重厚性、堅牢性に寄与できた。【選択図】  図４
0003116244.tif 000002
【実用新案登録請求の範囲】
【請求項１】
額の正面に遺影が収容されている遺影額において、額の背面に金属箔に仏像が描かれてなる図像画入りの台紙を収容し、かつ遺影額中に遺影の正面に透明板、中ぐりマット、及び遺影並びに遺影の背面に図像画入りの台紙、透明板の順序にて合計５枚の遺影、板材を収容し、重厚性、堅牢性を持たせ、かつ遺影、図像の両者を透視可能に構成したことを特徴とする図像画入り遺影額。
【考案の詳細な説明】
【技術分野】
【０００１】
本考案は、図像画入り遺影額に関し、さらに詳しくは額の正面には従来と同様に故人の遺影が収容されているが、背面には金属箔にてエンボス加工を施された図像画入りの台紙を収容してなる図像画入り遺影額に関するものである。
【背景技術】
【０００２】
従来の遺影額にあっては、額縁の正面にはガラス板やアクリル板等の透明板を用い、背面にはボードなどの裏板部材を用いる構造のものが広く使用されていた。したがって、従来の遺影額に於いては、単なる遺影収納掲示機能を発揮するのみであったゆえ、故人の遺徳をしのぶ通夜、葬儀にあって、より威厳に満ちた高級感、立体感あふれる額に相応しくないということで、特開２００３‐２４６１９９の額が出現するに到った。
【０００３】
即ち、上記特開２００３‐２４６１９９の額は額縁内に装着される鏡体、つまりガラス板の遺影が止着される箇所以外の板体周部に装飾部を形成して、遺影額に高級感と立体感を持たせようとしたものである。
【特許文献１】特開２００３‐２４６１９９
【考案の開示】
【考案が解決しようとする課題】
【０００４】
したがって、遺影額を正面から眺めた際には上記装飾部によって、故人の尊厳、威厳を高めた額であることは評価できる。しかし、額の背面は相変わらずボード板一枚の殺風景なものであることには少しも変わりはない。したがって、遺影額全体から観察した際には額の背面に関する限り少しも進化していないと謂うことを否定できない。
【０００５】
ところが、葬儀場では滞りなく葬儀が終了したのち、葬儀業者が遺族に遺影額を渡す際に遺影額の背面が、所謂、ボード板一枚ゆえに、渡す側の葬儀業者も受け取る遺族も額の背面の貧弱さに一様の寂しさと物足りなさを感じざるを得ない実情である。
【課題を解決するための手段】
【０００６】
本考案は上記課題を解決するためになされたものであって、本考案の遺影額は従来の遺影額のボードの裏板部材に替え、金属箔のエンボス加工を施した図像画入りの台紙を使用して、額の背面からも図像を拝むことができるようにし、額の表裏に遺影としての尊厳、威厳さを高め、然かも額自体にもボリュームを持たせるようにした図像画入り遺影額を提供せんとするものである。
【考案の効果】
【０００７】
本考案の遺影額は額縁中に金属箔にてエンボス加工を施された仏像を描いた図像入りの台紙を収容したから、該図像が背面の透明板から透視でき遺影額の背面からも図像が眺められるようになった。したがって、本考案の遺影額は正面から遺影を眺め、故人を拝み敬うことができ、然かも遺影額の背面からも燦然と輝く仏像を描いた図像をも拝むことができ、先祖を敬う気持ちが一段と横溢してくるものである。
【０００８】
また、台紙に描いた仏像が背面からの若干の透過光があれば、正面から見た場合にも遺影と重なり合って遺影に仏像画がほのかながらも浮き出てくる感があるので、遺影額の正面から遺影を眺めたときに、遺影に重厚さが醸し出されるものである。
【０００９】
従来の遺影額は額縁中に遺影に加えて３枚の板材から構成されてなるものであったゆえ、額縁中の収容物の軽薄さは否めなかった。即ち、額縁自体にいくら重厚なものを用いたとしても、その厚みの殆どを、裏板部材のボードで埋めていたために、所謂「上げ底」の感は否めなかった。
しかし、本考案の額縁は裏板部材のボードを用いることなく、遺影に加えて４枚の板材から構成されているゆえ、重厚さが感触されるばかりでなく、額縁中に収容されている遺影および図像入り台紙の安定性が頗る良好になった。
【考案を実施するための最良の形態】
【００１０】
本考案の遺影額を実施するための最良の形態を、以下に図面を参照しながら詳細に説明する。
【実施例１】
【００１１】
＜実施例１の構成＞
図１に示すように５は金属箔のエンボス加工を施されて仏像を描かれた図像画６入りの台紙である。
そこで、額縁１の正面側の窓へ硝子製またはアクリル樹脂製の透明板２を嵌め込みする。次いで、透明板２の背面へ中ぐりマット３を重合させる。４は遺影であり、この遺影４を額縁１正面窓へ向けて中ぐりマット３の背面へ重ね合せする。
【００１２】
次に、図像画９入りの台紙５を図像画６を額縁１の背面の方向に向けて、遺影４の背面へ重ね合せ額縁１中へ収容する。次いで、図像画入り台紙５を遺影４へ背中合せしたのち、図像画入り台紙５の正面へ硝子製又はアクリル製の透明板２を重ねて額縁1の窓へ全て順次積み重ね合せ収容する。そして、額縁１の背面外周部に取付けしてある止具８にて上記遺影と各部材を額縁１中へ収容固定するのである。
【産業上の利用可能性】
【００１３】
本考案の遺影額には仏像の図像画に替えて故人が生前中に書き残した絵画、書画、賞状を収容すれば、これらの額にも利用できるゆえ本考案は、宗教、教育、芸術、美術などの分野にも幅広く貢献でき、産業上に寄与すること誠に大きなものがある。
【図面の簡単な説明】
【００１４】
【図１】本考案の金属箔のエンボス加工を施された図像画入り台紙の要部の拡大正面図である。
【図２】ａ  本考案の遺影額の正面図である。ｂ  本考案の遺影額の左側面図である。
【図３】ａ  本考案の遺影額の平面図である。ｂ  本考案の遺影額の背面図である。
【図４】本考案の遺影額を背面側から眺めた分解斜視図である。
【図５】図３ｂのＡ‐Ａ線拡大横断面図である。
【符号の説明】
【００１５】
１      額縁
２      透明板
３      中ぐりマット
４      遺影
５      図像画入り台紙
６      図像画
７      透明板
８      止具
【図１】
0003116244.tif 000003
【図２】
0003116244.tif 000004
【図３】
0003116244.tif 000005
【図４】
0003116244.tif 000006
【図５】
0003116244.tif 000007
(57)【要約】      （修正有）【課題】吸盤の劣化によるサンシェードの脱落が無く、またサンバーザーに取り付ける市販クリップのように破損および紛失の可能性が無く、一般のサンシェードをそのまま簡単に取り付け取り外しが出来るサンシェード固定具を提供する。【解決手段】サンバイザー取り付け金具８に固定フック４を取り付けクリップ２にてサンシェード９を挟み固定する。また、サンシェード９不使用時には固定具関節３を曲げ邪魔に成らないよう収納することが出来るサンシェード固定具１である。【選択図】図２
0003116233.tif 000002
【実用新案登録請求の範囲】
【請求項１】
サンバイザーの付け根に取り付けたフックと可動式クリップを設けたことを特徴とするサンシェード固定具。
【考案の詳細な説明】
【技術分野】
【０００１】
この考案は、自動車のフロントガラスに於けるサンシェード固定具に関する。
【背景技術】
【０００２】
従来のサンシェード固定方法はフロントガラスに吸盤で固定する方法と、サンバイザーに市販クリップを取り付けて固定する方法がある。
【考案の開示】
【考案が解決しようとする課題】
【０００３】
しかしながら、以上の技術によれば、前方法は吸盤本体の経年劣化および太陽熱による変形等によりたびたび脱落することがあり、後の方法はサンシェード固定後にサンバイザーを移動するとフロントガラス面にぶつかり市販クリップが破損したり、フロントガラスに傷が入る場合があった。
そこで、この考案は、吸盤固定具本体の劣化による脱落が無く、サンバイザーの移動による破損もせず、現在使われているサンシェードをそのまま容易に着脱出来るサンシェード固定具を提供することを課題とする。
【課題を解決するための手段】
【０００４】
以上の課題を解決するために、考案は、サンバイザー取り付け金具にはめ込み固定する構造を設け、サンシェード固定具中央に設けられた固定具間接が半球状に可動しサンシェード位置を微調整したり、運転時にはサンシェード固定具を取り付けたまま収納出来きることを特徴とする請求項１記載のサンシェード固定具である。
【考案の効果】
【０００５】
考案によれば、サンシェードの取り付け、取り外しが容易になり、サンシェードの脱落がなくなり、固定具を取り付けたまま収納出来る為固定具の紛失が防げる。
【０００６】
更にサンシェード固定具をサンバイザーの一部分として組み込みことによりデザインの向上およびサンバイザーの付加価値をつけることが出来る。
【考案を実施するための最良の形態】
【０００７】
この考案の一実施形態を、図２に示す。
サンバイザー取り付け金具８にはめ込みサンシェード９をサンシェード固定具１のクリップ２にてとめる構造であり、サンシェード９不使用時にはサンシェード固定具１は図４に示すようにクリップ２が取り付けたまま収納可能な構造である。
【０００８】
「実施形態の効果」
この実施形態によれば、サンシェード９の取り付け、取り外しが容易になり、サンシェード９の脱落がなくなり、サンシェード固定具１を取り付けたまま収納出来る為、紛失が防げる。
【０００９】
「他の実施形態」
図１の実施形態では、サンシェード固定具１は、２個１組の単品であったが、他の実施形態では、図５のサンバイザー組み込み型固定具（一体型）のものでも良い。
【図面の簡単な説明】
【００１０】
【図１】この考案の一実施形態を示す斜視図である。
【図２】この考案の一実施形態を示す正面図である。
【図３】この考案の一実施形態を示す断面図である。
【図４】この考案の一実施形態を示す斜視図である。
【図５】この考案の他の実施形態を示す正面図である。
【図６】従来技術の一実施形態を示す斜視図である。
【図７】従来技術の一実施形態を示す斜視図である。
【符号の説明】
【００１１】
１  サンシェード固定具
２  クリップ
３  固定具関節
４  固定フック
５  カールーフ
６  サンバイザー
７  フロントガラス
８  サンバイザー取り付け金具
９  サンシェード
１０吸盤
１１市販クリップ
【図１】
0003116233.tif 000003
【図２】
0003116233.tif 000004
【図３】
0003116233.tif 000005
【図４】
0003116233.tif 000006
【図５】
0003116233.tif 000007
【図６】
0003116233.tif 000008
【図７】
0003116233.tif 000009
(57)【要約】      （修正有）【課題】二人が並んで就寝した場合に、身体間の隙間より侵入する冷気を防ぎ、且つ寝具内の熱放出を防止することにより、快眠を得る二人用毛布の提供。【解決手段】身体上の毛布１に垂れ部分２を設けることにより、それにて身体間の隙間を塞ぎ、冷気の侵入を防ぐとともに、寝具内の熱気放出も防止する。【選択図】図１
0003116391.tif 000002
【実用新案登録請求の範囲】
【請求項１】
二人用毛布を横長に見て中央部の上端から下方に向け、幅２０ｃｍ乃至８０ｃｍ、長さ３０ｃｍ乃至１００ｃｍの垂れ部を設けてなることを特徴とする二人用毛布。
【考案の詳細な説明】
【技術分野】
【０００１】  本考案は、寝具用毛布であって、特に大幅の二人用寝具毛布に関するものである。
【背景技術】
【０００２】  従来よりダブル、ベット用として大幅の毛布は生産されて居たが、単に寸法を大にしたものであって、特別な加工をなしたものは存在せず平面的製品のみである、フトンには一人用であるが、肩口の隙間を無くす方式のものが、寒冷地方において昔より存在している。
【特許文献】
【考案の開示】
【考案が解決しようとする課題】
【０００３】  二人が並んで就寝した場合において、二つの身体間に空隙が生じる、従来の毛布では、この身体間の空隙を塞ぐ事ができず、ためにこの空隙に冷気が入り、身体を冷やす、このようなため保温ができず、良好な睡眠が得られなかった。
【課題を解決するための手段】
【０００４】  本案は、上記問題点を解決するためになされたものであって、二つの身体が並んで就寝した場合に生じる、身体間の空間を閉塞する手段として、この空間部に毛布が垂れ下がるように作り、身体間の隙間を肩口にて閉じ、冷気の侵入を阻止すると共に暖気の放出も防止する。
この垂れ下がり部分は、毛布製造の当初より、そのように織製してもよく、又垂れ下がり部を従来毛布に付加する方式にても可能な事は勿論である。
【考案の効果】
【０００５】  本案によれば、次のような効果が得られる、二人就寝の場合における身体間の空間に、侵入する冷気を阻止するとともに、寝具内の暖気の流出おも阻止し、一挙両得の効果が得られ、そのため身体が快適な温度に保持され、良好な睡眠条件を得ることできる。
【考案を実施するための最良の形態】
【０００６】  ダブル幅毛布を二人用に使用した場合、肩口に当たる部分の隙間を十分塞ぐことができるように、この部分のみを垂れさせた毛布を製作する、この垂れ部分の付加方法は、織り工程時に垂れ織りをする方法と、既成の毛布に垂れ部を接合させる方法も可能である、両方法を比較すると、使用効果に差異はないが、製造の難易度、製造費、美観性等の点に差異が生じるため、それらを考慮して最適のものにて実施される。
【実施例】
【０００７】  以下本考案を図面に基づき詳細に説明する、図１は、本考案の二人用毛布の一部欠截裏面斜視図にして、１は二人用毛布本体であり、従来のダブル幅毛布と名称されている毛布と同じ寸法のものである。
二人の人間が近接して並んで就寝した場合に、二つの身体の間に隙間ができ、寝具は、この隙間を塞ぐことができず、そのため、この隙間に冷気が入り体温が暖まらず、安眠を妨げる、又寝具内の熱が、この隙間より外に放出されることにもなり一層悪い結果になる、この問題点を解決するために、二人用毛布本体１を使用した場合に、身体間の隙間を塞げるように、垂れ部２を設け、この垂れ部２により肩口を完全に覆い、冷気侵入を防止する
垂れ部２は、二人用毛布本体１を織製する際に、織り工程にて作り出してもよく、又垂れ部２を別個に作り、二人用毛布本体１に接合してもよいことは勿論である。
この接合方法としては、縫製、或いは接合、分離自在方式にしても良いことは勿論であって、製造の容易性、美観性、使用性、加工費等を考慮して、最適な方法のものが実際化される。【０００８】  図２は，本考案の二人用毛布の平面図であって、二人用毛布本体１を横長にして、中央の上方に垂れ部２が設けられる、この垂れ部２の寸法は一定でなく、人体に適合させるため何種類かに品種別するのが理想的である、そのため垂れ部２の幅は２０ｃｍ乃至８０ｃｍ、長さは３０ｃｍ乃至１００ｃｍ程度になる、このものを中央の上端より下方に向けて設ける。【０００９】  図３は、本考案の二人用毛布の正面図であって、二人用毛布本体１の中央端に設けられた垂れ部２が、垂れた状態を示した図である。【００１０】  図４は、本考案の二人用毛布の左側面図であって、垂れ部２の垂れた状態を横から見た場合の図である。
本考案は、このような実施例に何等限定されるものでなく、本考案の要旨を逸脱しない範囲において、種々なる態様にて実施し得るは勿論である。
【産業上の利用可能性】
【００１１】  本考案の利用可能性として、毛布のみでなく、普通のフトンにも利用して活用できるものである。
【図面の簡単な説明】
【００１２】
【図１】は、本考案の二人用毛布の一部欠截裏面斜視図である。
【図２】は、本考案の二人用毛布の平面図である。
【図３】は、本考案の二人用毛布の正面図である。
【図４】は、本考案の二人用毛布の左側面図である。
【符号の説明】
【００１３】  １  二人用毛布本体
２  垂れ部
【図１】
0003116391.tif 000003
【図２】
0003116391.tif 000004
【図３】
0003116391.tif 000005
【図４】
0003116391.tif 000006
(57)【要約】      （修正有）【課題】ノートパソコンでのプレゼンを行う時に、プレゼンの相手方及びプレゼンを行う側の双方が共に便利になるような、ノートパソコン液晶画面を提供する。【解決手段】解決策（１）．液晶画面をノートパソコン蓋の表にも設置しデュアル画面化する。又は、解決策（２）．液晶画面を１８０°回転させる構造とし、説明者側がパソコンの操作上必要な程度の小型モニターをキーボード下部、又は液晶画面の裏（パソコンの蓋）面に設置することを特徴とし、ノートパソコンでのプレゼンの不便さを解消する。【選択図】図３
0003116392.tif 000002
【実用新案登録請求の範囲】
【請求項１】
ノートパソコン持参で顧客にプレゼンを行う時に、プレゼンの相手方及びプレゼンを
行う側の双方が共に便利なように、液晶画面をノートパソコン蓋の外側にも設けデュア
ル画面化する。
（この場合、蓋外側の液晶画面保護のための蓋も設ける）。
画面をデュアル化する事により、顧客側にノートパソコン画面を向ける必要が無くなり
双方にメリットが生じる。
【請求項２】
ノートパソコン持参で顧客にプレゼンを行う時に、プレゼンの相手方及びプレゼンを
行う側の双方が共に便利なように、液晶画面を１８０°回転させる構造とする。その場
合プレゼンを行う側が操作上必要な、３インチ程度の小型モニターを設ける。
この場合小型モニターを設ける位置は、
イ）．キーボードの下部に ２．５インチ程度のモニターを設置する。
又は
ロ）．回転させた液晶画面の裏（ノートパソコン蓋）面に３インチ程度の小型モニター
を設置する。
液晶面の保護に、スライド式の蓋を設け、この蓋の開閉で小型モニターの作動スイッチ
を兼ねる。
【考案の詳細な説明】
【技術分野】
【０００１】
本考案は、ノートパソコン持参でのプレゼンを行う時に、プレゼンの相手方及びプレゼン
を行う側の双方が共に便利になるような、ノートパソコン液晶画面に関する考案である。
【背景技術】
【０００２】
従来のノートパソコンによる顧客へのプレゼンでは、プレゼンの説明者が相手方に画面
が見えるよう、ノートパソコン自体を廻して説明を行っている現状であり、双方とも不便
を感じている。
【考案の開示】
【考案が解決しようとする課題】
【０００３】
解決しようとする問題点は、ノートパソコンによる顧客へのプレゼン時にパソコン自体を
顧客側へ廻して説明をしているために、プレゼンをする側のパソコン操作が軽快に行え
ない、又画面の位置が説明者と説明を受ける側の微妙な位置になるため、双方に不便
な点がある。
【課題を解決するための手段】
【０００４】
本考案では、
解決策（１） 液晶画面をノートパソコン蓋の表にも設置しデュアル画面化する。
又は、
解決策（２） 液晶画面を１８０°回転させる機能を付け、説明者側がパソコンの操作上
必要な程度の小型モニターをキーボード下部、又は液晶画面の裏（パソコンの蓋）面に
設置しデュアル画面化する。
上記の点を主要な特徴とし、ノートパソコンでのプレゼンの不便さを解消する。
【考案の効果】
【０００５】
本考案の利点は、通常プレゼンの提案者と説明を受ける側は相対した位置にいるが、
双方が何ら不便を感じる事無く、満足した状態で画面の確認を出来るという事である。
【考案を実施するための最良の形態】
【０００６】
ノートパソコンでの顧客へのプレゼン時の操作性を改善しプレゼンの効果をアップさせる
という目的で必要な改善を実現した。
【実施例１】
【０００７】
図１及び図２は、本考案装置の実施例（１）の図面である。
【実施例２】
【０００８】
図３及び図４は、本考案装置の実施例（２）の図面である。コストアップを抑えプレ
ゼンの説明者用に内容を確認出来る程度の小型モニターを取り付けたものです。
【産業上の利用可能性】
【０００９】
デュアル画面化により、 特にパソコン持参で顧客にプレゼンを行う企業の営業マン
や建築設計者、ハウスメーカー営業マン向け等のノートパソコンとして大いに利用可能
である。
【図面の簡単な説明】
【００１０】
【図１】（実施例１）液晶画面をパソコン蓋の表にも設置した場合のプレゼン時の顧客側鳥瞰図である。液晶保護用の薄蓋（２枚折蓋等）も取り付ける。
【図２】（実施例１）図１でのパソコン操作者側鳥瞰図を示す。
【図３】（実施例２）液晶画面を１８０°回転させる構造とし、パソコンの操作上必要な程度の小型モニターをキーボード下部、又は液晶画面の裏（パソコンの蓋）面に設置した場合のプレゼン時の顧客側鳥瞰図である。
【図４】（実施例２）図３でのパソコン操作者側鳥瞰図を示す。操作者側の小型モニターは、キーボード下部、又は液晶画面の裏（パソコンの蓋）面のいずれかに設置する。
【図１】
0003116392.tif 000003
【図２】
0003116392.tif 000004
【図３】
0003116392.tif 000005
【図４】
0003116392.tif 000006
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
ノートパソコン持参で顧客等にプレゼンを行う時に、プレゼンの相手方及びプレゼン
を行う側の双方が共に便利なように、液晶画面をノートパソコンの蓋の外側にも設け、
蓋外側に追加した液晶画面の保護のための蓋もノートパソコンの蓋の外に設け、デュア
ル画面化することで顧客側にノートパソコン画面を向ける必要が無くなり、プレゼン用
に便利な事を特徴とするデュアル画面のノートパソコン。
【請求項２】
請求項１のデュアル画面のノートパソコンにおいて、通常の液晶画面を１８０°回転
出来る構造とすると共にプレゼンを行う側が操作上必要な小型モニターを、キーボード
下部に設置する構造とし、プレゼン用に便利な事を特徴とするデュアル画面のノートパ
ソコン。
【請求項３】
請求項２のデュアル画面のノートパソコンにおいて、通常の液晶画面を１８０°回転
出来る構造とすると共にプレゼンを行う側が操作上必要な小型モニターを、回転させた
液晶画面の裏（ノートパソコンの蓋）面に設置し、この小型モニターの液晶面保護のス
ライド式蓋を設け、この蓋の開閉で小型モニターの作動スイッチを兼ねる構造とした、
プレゼン用に便利なことを特徴とするデュアル画面のノートパソコン。
(57)【要約】      （修正有）【課題】室内又は車内で風車を簡単に回転させることができるエアコン風車の提供。【解決手段】風車をエアコンの吹出し口付近に装着することによって、エアコンから吹出した風が風車を回転させるエネルギーとして利用される。【選択図】図１
0003116393.tif 000002
【実用新案登録請求の範囲】
【請求項１】
エアコンのような送風できる装置の吹き出し口に取り付け、装置が稼動する時の風力で回転する風車。
【請求項２】
自動車エアコンの吹き出し口に取り付け、エアコンが稼動する時の風力で回転する風車。
【考案の詳細な説明】
【技術分野】
【０００１】本考案は、風車に関する。
【背景技術】
【０００２】従来の風車は、室外の遊ぶ道具として、使われていた。
【考案の開示】
【考案が解決しようとする課題】
【０００３】しかし、室内で風車を回転させることが不便である。
【課題を解決するための手段】
【０００４】そこで、エアコンの吹出し口に装着する風車を考案した（図１、図３）。この風車により、エアコンから吹出した風が風車を回転させるエネルギーとして利用されるため、風車が自動的に回転することができる。
【考案の効果】
【０００５】よって、本考案の風車により、エアコンから吹出した風が利用されるため、室内又は車内で簡単に風車を回転させることができる。
【考案を実施するための最良の形態】
【０００６】第一考案では、図２に示すように、家庭用エアコン７の吹出し口付近に風車８を接着部３で接着する。風車を支えるハンドル１の回転部２、ハンドルの長さ調整部４と横位置調整部５により、エアコンの形状に合わせて、風車６を最適な回転位置に調整することができる。
第二考案では、図４に示すように、車のエアコンの吹き出し口１３に風車１２を取り付ける。エアコン吹出し口の形状に合わせて、ハンドルの留め部１０を上下に調整し、１０’で吹き出し口に固定することによって、風車を最適な回転位置に固定することができる。
【図面の簡単な説明】
【０００７】
【図１】第一考案に係る風車を示す斜視図である。
【図２】第一考案に係る風車を使用した状態の斜視図である。
【図３】第二考案に係る風車を示す斜視図である。
【図４】第二考案に係る風車を使用した状態の断面図である。
【符号の説明】
【０００８】１    ハンドル部
２    回転部
３    接着部
４    ハンドルの長さ調整部
５    横位置調整部
６    風車本体
７    エアコン本体
８    風車
９    風車
１０  上下調整部
１０’留め部
１１  ハンドル
１２  風車
１３  自動車エアコン吹出し口
１４  前後位置調整部
【図１】
0003116393.tif 000003
【図２】
0003116393.tif 000004
【図３】
0003116393.tif 000005
【図４】
0003116393.tif 000006
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
風車の回転体（６）と、前記回転体を支持し、エアコンの吹出し口横に取りつけられ、奥行きまたは横の長さを調整できるハンドル部（１）と、前記ハンドル部をエアコンの吹出し口横に取付けるための回転できる接着部（２）とにより成ることを特徴とする風車。
【請求項２】
風車の回転体（９）と、前記回転体を支持し、自動車のエアコン吹出し口前に取りつけられるハンドル（１１）と、前記ハンドルをエアコンの吹出し口に取付けるために上下調整できるハンドル留め部（10）と、前記ハンドルの前後位置調整部（１４）とにより成ることを特徴とする風車。
(57)【要約】      （修正有）【課題】内視鏡検査の安全性及び精度を向上した電子内視鏡を提供する。【解決手段】アナログビデオ回路１からＡ−Ｄ変換装置を介して内臓のハードディスクレコーダー３に画像を送りデジタル録画し、モニター出力４からモニター上に映し出す。内視鏡検査の全過程の映像を簡単な操作で記録することができるので、見落としによる誤診の回避及び指導者の検証にて初学者への技術向上に貢献する。【選択図】図１
0003116371.tif 000002
【実用新案登録請求の範囲】
【請求項１】
電子内視鏡における動画保存方法としてのハードディスクレコーダーの応用。
【考案の詳細な説明】
【技術分野】
【０００１】本考案は、電子内視鏡の画像保存の画期的な方法である
［背景技術］【０００２】従来電子内視鏡の画像はビデオプリンター又は１６ｍｍフィルムに保存していたが、これでは食道上部等の病変を見落としがちであった。
ハードディスクレコーダーを利用することにより全行程の再現を容易にでき検査後患者にすぐに画像を閲覧させることも可能になった。
［考案の開示］
［考案が解決しようとする課題］【０００３】現時点ではハードディスクレコーダーを直結した内視鏡は存在せず、これを普及することによって更に正確な内視鏡検査の実施および初学者の内視鏡検査の手技を指導者と一緒に検討することによって技術の研鑽に寄与できる。
［課題を解決するための手段］【０００４】現在でも電子内視鏡にハードディスクレコーダーを繋いで記録することは可能であるが電子内視鏡は１人の人間が使うのでなく不特定多数が使用するため操作が簡単でなくてはならないため内蔵型の単純な構造が要求される。
［考案の効果］【０００５】患者の苦痛を和らげるため短時間での検査を要求される日常診療のなかでわずかな見落としも許されないため簡単な操作にて検査内容を再現し検証できる。
［考案を実施するための最良の形態］【０００６】ハードディスクレコーダーを内臓するために、吸引機等の振動を引き起こす器具には防振マット等の装備を必要とする。
［実施例］【０００７】現状のアナログビデオ回路から内臓のハードディスクレコーダーに画像を送りモニター上に映し出す。
［産業上の利用可能性］【０００８】現在の静止画像に代わり動画にて微細な病変の発見が容易となる。
【図面の簡単な説明】
【０００９】［図−１］
内部構造の模式図である。
【符号の説明】
【００１０】１−光源装置
２−送気送風装置
３−ハードディスクレコーダー
４−モニター出力
５−キーボード出力
【図−１】
0003116371.tif 000003
【手続補正書】
【提出日】平成17年8月16日(2005.8.16)
【手続補正１】
【補正対象書類名】実用新案登録請求の範囲
【補正対象項目名】全文
【補正方法】変更
【補正の内容】
【実用新案登録請求の範囲】
【請求項１】
電子内視鏡にハードディスクレコーダーを内臓（又は外づけ）することにより観察した動画画像を録画し、瞬時に再生し供覧できる装置
【手続補正２】
【補正対象書類名】図面
【補正対象項目名】全図
【補正方法】変更
【補正の内容】
【図１】
0003116371.tif 000004
(57)【要約】      （修正有）【課題】安心且つ容易にペットの日常的な手入れが行える、有機栽培綿を使用した指型タオルを明らかにする。【解決手段】皮膚への負担を最小限に抑えた有機栽培で収穫された綿花で作られた布地を使用して形成され、本体の下部に開口部を設け、先端に指先のような丸みをつけ指型の筒状に縫製されている。指先は、ペットを拭く際に、違和感を与えないよう縫い代をなくし、自然な丸みをつけて拭きやすいように工夫している。さらに、本体の開口部側面に、使用中外れないよう指を固定する為のゴムを設けている。【選択図】図２
0003116378.tif 000002
【実用新案登録請求の範囲】
【請求項１】
有機栽培綿を使用した指型タオル
無農薬の畑で栽培された綿花で作られた生地を使用して形成され、本体は、下部に開口部を設け、先端に指先のような丸みをつけた指型の筒状をしており、本体開口部側面には、使用中はずれないように固定する為のゴムを設けている、指型のタオルである。
【考案の詳細な説明】
【技術分野】
【０００１】  本考案は、ペットの日常的な目元・口元・耳・歯等の細かい部分の手入れを、有機栽培綿を使用して、皮膚の弱いペットも安心して手入れが可能な指型タオルに関するものである。
【背景技術】
【０００２】  ペット人口が増え、家庭で人間といっしょに生活する為、衛生上さまざまな手入れが行われている。一般的には、タオルやティッシュペーパー等で汚れを拭き取ったりして手入れを行っている。
また、その形状は大部分がタオル地の長方形上の布である。現在人間用としては、指型状で、怪我をした際使用する指型の包帯や、ペット用に関しては、紙でできた使い捨ての物等色々であるが、用途や材質が限られているのが現状である。
【考案の開示】
【考案が解決しようとする課題】
【０００３】  しかしながら、ペットの目元・口元等の細部を手入れするに際し、上記のような四角いタオルだと大きすぎて拭きづらく、ティッシや紙の場合は細かい紙の埃が付着して涙やけしたり、硬く肌触りも悪いので皮膚を傷つけ悪化してしまう例も少なくない。
最近では、ペットも高齢化が進み、介護を要するペットが増え、病気も人間並みになり、アトピー等皮膚に障害が発生する例も多い。
そこで、本考案は安心且つ容易にペットの日常的な手入れが行える、有機栽培綿を使用した指型タオルを明らかにするものである。
【課題を解決するための手段】
【０００４】  この課題を解決する為に、請求項１に係る考案は、皮膚への負担を最小限に抑えた有機栽培で収穫された綿花で作られた布地を使用して形成され、本体の下部に開口部を設け、先端に指先のような丸みをつけ指型の筒状に縫製されている。指先は、ペットを拭く際に、違和感を与えないよう、縫い代をなくし、自然な丸みをつけて拭きやすいように工夫している。さらに、本体の開口部側面に、使用中外れないよう指を固定する為のゴムを設けている。
【考案の効果】
【０００５】  飼い主の人差し指にはめ、ゴムを中指及び同じ人差し指にかけ固定して使用する。皮膚への負担を最小限に抑えた有機栽培で収穫された綿花で作られた布地で形成されている本体で、ペットの目の周り、食事の後の口周り、シャンプー後の目の周りや耳、歯磨き等今まで拭きづらかった細部も手入れしやすい形状である。また、優しい自然素材なので、皮膚の弱いペットや、傷口のある場合も安心して使用できる。使用後は、汚れがひどい場合は廃棄または、水・ぬるま湯で洗い風通しの良い所で乾燥させて、何度か再利用も可能である。
【考案を実施するための最良の形態】
【０００６】  タオル生地は、有機栽培で収穫された綿花で作られた布地を使用して形成され、指にはめる本体１の片側から、指を固定させる為のゴム２を取り付け、ずれないよう且つ簡単に装着しやすくなっている。さらに、指先はペット拭く際に、違和感を与えないように、縫い代をなくして丸みをつけている。
実施例のタオルの有機栽培綿は、化学薬剤をできる限り遠ざけた、介護用やアトピーの方々にも支持されている肌に負担の少ない綿を使用している。
装着した指型のタオルはペットの目元の周り、口元のよだれ・食事の後の食べこぼし、シャンプー後の耳・目元等、細かい部分も容易に拭き取れる。日常的には、そのまま若しくは軽く湿らせて装着して、耳を拭いたり、歯磨き・歯茎のマッサージ等さまざまな部分に容易に使用できる。また、飼い主が直接手入れを行うため、力の加減も調節できるので、ペットも安心でき、飼い主とのコミュニケーションにも効果が期待できる。
【図面の簡単な説明】
【０００７】
【図１】  本体断面図
【図２】  装着図
【符号の説明】
【０００８】
【図１】
（１）本体断面
（２）ゴム
【図１】
0003116378.tif 000003
【図２】
0003116378.tif 000004
【手続補正書】
【提出日】平成17年8月10日(2005.8.10)
【手続補正２】
【補正対象書類名】実用新案登録請求の範囲
【補正対象項目名】全文
【補正方法】変更
【補正の内容】
【実用新案登録請求の範囲】
【請求項１】
無農薬の畑で栽培された綿花で作られた生地を素材として、先端には指先のような丸みをつけ、底面が開口し指型の筒状を形成し、底面の開口部に近い側面の片側には、使用中はずれないように固定する為のゴムを設けている事を特徴とする有機栽培綿を使用した指型のタオル。
【手続補正３】
【補正対象書類名】明細書
【補正対象項目名】０００４
【補正方法】変更
【補正の内容】
【０００４】  無農薬の畑で栽培された綿花で作られた生地を素材として、先端には指先のような丸みをつけ、底面が開口し指型の筒状を形成し、底面の開口部に近い側面の片側には、使用中はずれないように固定する為のゴムを設けている事を特徴とする有機栽培綿を使用した指型のタオル。
(57)【要約】      （修正有）【課題】家屋の屋外に取り付ける物干し具や棚を、いかにして家屋を傷つけることなく容易に設置でき、かつ相当な荷重にも耐えうる安定したものにする。【解決手段】アルミサッシ取り付け型つっぱり式ポールに支えポール８を設け、その支えポールが外壁を押すようにして本考案の器具を取り付けることにより、大きな荷重に耐えうる物干し具、棚を屋外に取り付けることができる。【選択図】図２
0003116373.tif 000002
【実用新案登録請求の範囲】
【請求項１】
図１、図３のように、アルミサッシの上端、下端及びその下の外壁に取り付け、屋外に設置する物干し具や棚の土台となり、またそういった使用法において従来あった型に比べ相当な荷重にも耐えうる構造をもったポール状の器具。
【考案の詳細な説明】
【技術分野】
【０００１】  本考案はアルミサッシ及びその下の外壁に取り付けて、物干し具や屋外に設置する棚の土台として使用できるポール状の器具に関するものである。
【背景技術】
【０００２】  マンションやアパートなど庭やベランダのない家屋において、屋外に物干し具を取り付ける場合、図５のようにビス等を用いて家屋を傷つけることによって設置したり、図６のようにサッシに従来からあるような不安定なつっぱり式ポールをとりつけるなどしか方法がなかった。また同様に屋外に棚を取り付ける場合もビス等で設置するしか方法がなかった。
【考案の開示】
【考案が解決しようとする課題】
【０００３】  家屋の屋外に取り付ける物干し具や棚を、いかにして家屋を傷つけることなく容易に設置でき、かつ相当な荷重にも耐えうる安定したものにするか、ということを解決しようとするものである。
【課題を解決するための手段】
【０００４】  図６に示す従来からあるつっぱり式ポールと同様に、図２に示すように本体ポール１を取付け部Ａ５、取付け部Ｂ６を介し、アルミサッシの上端、下端の網戸のレールに差し込むように取り付け、本体ポールに内装してあるジャッキでサッシの上端、下端に押しつけるようにして固定する。本体ポールは内管２、外管３、長さ調節部Ａ４からなり、サッシの規格にあわせて長さを調節できるようになっている。そして本考案では、本体ポールが支えポール８によりサッシの下の外壁１４から支えを得るようになっており、さらに支えポールにもジャッキが内装してあり、支えポールが外壁を押すような構造をとる。また支えポールも内管９、外管１０、長さ調節部Ｂ１１からなり、サッシ面と外壁が同一平面状にない場合にも対応できるようになっている。  そして、物干し竿を通すためのポール１３により物干し竿をかけることができるのである。図６のような従来のつっぱり式ポールの構造において問題であったのは、重い物をつるした場合、本体に荷重がかかるゆえに下端取付け部１８が外れるということはないにしろ、下端取付け部を回転軸としたモーメントが上端取付け部１７にかかることになり、上端が外れてしまう危険性があるということであった。また、外れないように上端部をきつく固定しても、アルミサッシは本来の用途以外の負荷にそれほど耐えられるようには作られていないためサッシごと壊れてしまうおそれがある。そこで本考案では、重い物をつるした場合に生じるモーメントによる上端部の負担をいかに軽減するかということに観点をおいた。図２に示すように、支えポール８を本体ポール１に設け、ジャッキによって外壁を押すようにすることにより、重いものをつるした場合の本体ポールにおけるモーメントによる取付け部Ａ５にかかる負荷を大幅に減らすことができたのである。また、図３、図４は以上の理屈による本体の構造により、屋外に棚など取り付ける際の土台として利用しようとするものである。
【考案の効果】
【０００５】  上述のように、アルミサッシに設置するタイプのつっぱり式の物干し具に、重い物をつるしても安定を保てるようになり、また同じく大きな荷重に耐えうる棚を屋外に設置できるようになったのである。
【考案を実施するための最良の形態】
【０００６】図１に示したように、本体ポール１をアルミサッシの上端、下端の網戸のレール７に取付け部Ａ５、取付け部Ｂ６を介してはめこみ、支えポール８により外壁１４から支えを得るように取り付ける。そして物干し竿を通すためのポール１３に物干し竿を通し、物干し具として使用する。
【実施例】
【０００７】  図３に示したように、図１と同じようにアルミサッシに取り付け、棚板等をのせて使用する。
【図面の簡単な説明】
【０００８】
【図１】本考案の使用時における斜視図
【図２】アルミサッシに取り付けた状態の横面図
【図３】本考案の構造を利用した棚の土台の使用時における斜視図
【図４】図３の棚の土台をアルミサッシに取り付けた状態の横面図
【図５】従来の外壁に取り付けるタイプの物干し具の使用時の斜視図
【図６】従来のアルミサッシ取り付け型つっぱり式ポールの使用時の斜視図
【符号の説明】
【０００９】１  本体ポール
２  内管
３  外管
４  長さ調節部Ａ
５  取付け部Ａ
６  取付け部Ｂ
７  網戸のレール
８  支えポール
９  支えポールの内管
１０  支えポールの外管
１１  長さ調節部Ｂ
１２  取付け部Ｃ
１３  物干し竿を通すためのポール
１４  家屋の外壁
１５  アルミサッシ
１６  使用例としてトにのせる棚板
１７  上端取付け部
１８  下端取付け部
【図１】
0003116373.tif 000003
【図２】
0003116373.tif 000004
【図３】
0003116373.tif 000005
【図４】
0003116373.tif 000006
【図５】
0003116373.tif 000007
【図６】
0003116373.tif 000008
【手続補正書】
【提出日】平成17年8月18日(2005.8.18)
【手続補正１】
【補正対象書類名】実用新案登録請求の範囲
【補正対象項目名】請求項１
【補正方法】変更
【補正の内容】
【請求項１】
アルミサッシの上端、下端に圧着し、また、アルミサッシの下の家屋の外壁に接触させて支えを得る、という構造をもち、屋外に設置する物干し具や棚の土台となるポール状の器具。